(57)【要約】  【課題】  本発明は、施工を短時間にて行えるねじ及び浴室ユニットを提供することを目的とする。  【解決手段】  本発明は、座面を有した平座と、この平座と一体に形成された脚部とを備え、上記脚部が、側面にネジ山を有し、上記平座とは反対となる端部にドライバビットを挿入する駆動穴を有した平座付きねじである。また、平座が、その上面にドライバビットを挿入する駆動穴を有した平座付きねじである。また、平座に設けた駆動穴と、脚部に設けた駆動穴とが、同一形状である平座付きねじ。また、平座が、その外形形状を円形となし、その直径を脚部直径の１．５倍以上とする平座付きねじである。また、駆動穴を設けた脚部端部の周縁が、面取りされた平座付きねじ。  【選択図】  図２
2006112510.tif 000002
【特許請求の範囲】
【請求項１】
座面を有した平座と、この平座と一体に形成された脚部とを備え、上記脚部が、側面にネジ山を有し、上記平座とは反対となる端部にドライバビットを挿入する駆動穴を有した平座付きねじ。
【請求項２】
請求項１において、平座が、その上面にドライバビットを挿入する駆動穴を有した平座付きねじ。
【請求項３】
請求項２において、平座に設けた駆動穴と、脚部に設けた駆動穴とが、同一形状である平座付きねじ。
【請求項４】
請求項１乃至３のいずれかにおいて、平座が、その外形形状を円形となし、その直径を脚部直径の１．５倍以上とする平座付きねじ。
【請求項５】
請求項１乃至４のいずれかにおいて、駆動穴を設けた脚部端部の周縁が、面取りされた平座付きねじ。
【請求項６】
請求項１乃至５のいずれかに記載される平座付きねじと、このねじを使用して位置固定される断面クランク形状の吊り金具と、この吊り金具間に掛け渡す架台とを備え、上記架台の上に載置される浴室ユニット。
【発明の詳細な説明】
【技術分野】
【０００１】
本発明は、ねじに関する。
【背景技術】
【０００２】
ねじは、対象物の固定、位置決め等に広く用いられ、例えば浴室ユニットの設置においても多用されている。
【０００３】
図１は、吊り金具付近の拡大図である。吊り金具１は、断面クランク形状をなしており、２階、３階等の階上、又は、１階であっても床コンクリートの打ち付け等がない場所に浴室ユニットを設置する際に使用される。
吊り金具１は、大引き３に設置固定されるもので、より詳細には、大引き３の上面に対して、ねじ４にて固定される。大引き３の側面と、吊り金具１とは、平座５及びボルト６により位置決めされており、平座５を大引き３にあてがい、ボルト６の先端を上記平座５に突き当てるようにしている。そして、吊り金具１間には、架台２が掛け渡され、この架台２の上に浴室ユニットを載置固定する。尚、ボルト１５は、架台２の水平出しを行う際に、押し又は引くことにより高さ調整を行う。
【０００４】
平座５及びボルト６の使用は、平座を使用せずにねじのみで位置決めすると、長年浴室ユニットを使用してねじに応力がかかることにより、ねじが大引き３に深く刺さり、図１に示すＴの幅が変化するのを防ぐことを考えてのものであり、平座５及びボルト６の使用により、長年浴室ユニットを用いてもＴの幅が変化することなく、安全に浴室ユニットを使用することができる。
【特許文献１】特開２００３−１６６５１５
【発明の開示】
【発明が解決しようとする課題】
【０００５】
しかしながら、図１に使用している平座５とボルト６は、施工時において多くの手間を要する。平座５は、大引き３に対してボルト６により押しつけられて固定されるので、予め大引き３に固定せずに、ボルト６をある程度吊り金具１にねじ込み、その後、位置を確認しながら大引き３と吊り金具１との間に挟み込こむようにして挿入する必要がある。このような狭い場所への平座５の挿入は、施工現場において困難なものであり、ましてや、平座の中央をボルト６が押すように配置することは、直接ボルト６の突き当て位置が見えない状況下で行われることから多くの時間を要する。
【０００６】
本発明は、施工を短時間にて行えるねじ及び浴室ユニットを提供することを目的とする。
【課題を解決するための手段】
【０００７】
（１）本発明は、座面を有した平座と、この平座と一体に形成された脚部とを備え、上記脚部が、側面にネジ山を有し、上記平座とは反対となる端部にドライバビットを挿入する駆動穴を有した平座付きねじである。
（２）項（１）において、平座が、その上面にドライバビットを挿入する駆動穴を有した平座付きねじ。
（３）項（２）において、平座に設けた駆動穴と、脚部に設けた駆動穴とが、同一形状である平座付きねじ。
（４）項（１）乃至（３）のいずれかにおいて、平座が、その外形形状を円形となし、その直径を脚部直径の１．５倍以上とする平座付きねじ。
（５）項（１）乃至（４）のいずれかにおいて、駆動穴を設けた脚部端部の周縁が、面取りされた平座付きねじ。
（６）項（１）乃至（５）のいずれかに記載される平座付きねじと、このねじを使用して位置固定される断面クランク形状の吊り金具と、この吊り金具間に掛け渡す架台とを備え、上記架台の上に載置される浴室ユニット。
【発明の効果】
【０００８】
本発明によれば、ねじが座面を有した平座を備えていることから、別途平座を用いることなく、容易に位置決めを行うことができ、施工時間の大幅な短縮をすることができる。
また、平座の上面に駆動穴を設けた場合には、脚部両側のどちらからでもドライバをあてがうことが可能となり、平座付きねじにナットを嵌め込んで保管している際に、電動ドリルにより簡単にナットを取り外すことができる。
平座に設けた駆動穴と、脚部に設けた駆動穴とが同一形状である場合は、１本のねじに対して１種類のドライバを用意すれば事足り、１本のねじに対し複数のドライバを用意する必要がない。
平座が、その外形形状を円形となし、その直径を脚部直径の１．５倍以上とした場合は、円形であることから、局部的な応力がかかりにくく、突き当てる際にもドライバへの付加が少ない。また、その直径は、長ければ長いほど全体の接触面積が増え好ましく、特にその直径が、１．５倍以上あるとより好ましい。
駆動穴を設けた脚部端部の周縁を面取りしたものは、部材に突き当てた際に、部材との引っかかりがなく均一に突き当てることができ、作業者の安全性も高まる。
【発明を実施するための最良の形態】
【０００９】
本発明に用いる平座付きねじの材質は、合成樹脂又は金属であることが好ましく、特に鉄、ステンレス、アルミニウム等をより好ましく用いることができる。また、表面には、めっきを施してもよく、具体的にはクロムめっき、ユニクロめっき、黒クロメートめっき、溶融亜鉛めっき等を行うことができる。
【００１０】
本発明に用いる平座付きねじは、平座の部分と脚部とを有しており、平座と脚部とが一体成形されたものが好ましく、別部材を固着、接着、溶着したものを用いても良い。
脚部の側面は、ねじ山を有しており、このねじ山のピッチを任意に設定することができる。駆動穴は、ドライバビットを挿入できるものであればその形状は限定されるものでなく、プラス形であっても、マイナス形であってもよく、電動ドライバを頻繁に用いることを考えると、より安定して回転させることができるプラス形であることが特に好ましい。駆動穴は、少なくとも脚部の端部に設けられるが、それ以外に平座に設けることもできる。平座に駆動穴を設ける場合には、平座の駆動穴と脚部端部の駆動穴を同一形状とすることが好ましく、このようにすることで、複数のドライバを使用する必要がなくなる。また、駆動穴を設けた脚部の周縁は、面取りすることが好ましく、この面取りを行うことで取扱を行いやすくなる。
【００１１】
本発明のねじを使用して固定される吊り金具は、その材質が、浴室ユニットの重さ（約１０００ｋｇ）を支えることから、金属製であることが好ましく、具体的には、鉄、ステンレス、アルミニウム等を使用することができる。特に、熱間圧延鋼鋼板（ＳＰＨＣ−Ｐ）を用いることが、強度的に強く好ましい。また、水場に使用するものなので、吊り金具には防錆処理を施すことが好ましい。
吊り金具の形状は、浴室ユニットをその上面にて支えることが可能であれば、特に限定されるものではなく、例えば、図２に（ａ）記載するようなクランク形状（吊り金具１）のもの、同図（ｂ）に記載される階段形状（吊り金具１）のものを用いることができる。
また、この吊り金具には、予めねじ穴を設けておくことが好ましい。吊り金具間に掛け渡す架台は、浴室ユニットの重量に耐えうるものであれば特に限定されるものではなく、具体的には、鉄又はステンレス製の中空角パイプ、受木材等を用いることができる。
【００１２】
本発明にて使用される架台は、浴室ユニットの重量に耐えうるものであれば特に限定されるものでなく、金属製の角形中空パイプ、Ｈ形鋼、受木材等を使用することができる。架台は、少なくとも２本使用され、３本以上使用することもできる。架台の使用本数は、載置する浴室ユニットの下面構造により変化するものなので、この下面構造により吊り金具の本数を決定する。
【実施例】
【００１３】
以下、本発明の実施例について図面を用いて説明する。
図３は、本発明の１実施例を示すねじであり、（ａ）は側面図、（ｂ）は平座部分を示す上面図、（ｃ）は底面図、（ｄ）は斜視図である。ねじ７は、ステンレス製であり、脚部１０の直径は１６ｍｍ、平座８は外形円形で直径２７ｍｍとしている。駆動穴９は、十字穴でその一辺の長さを５．３ｍｍとして、平座８の上面及び脚部１０の底面の両方に設けている。また、平座８の外周及び脚部１０の端部外周は、面取りしてある。また、ねじ７には、ナット１１を螺合させてあり、使用時に脱着させる。
【００１４】
次に実際の使用状況を説明する。図４は、吊り金具の斜視図である。吊り金具１は、大引きに固定する前に、ねじ孔１２にねじ７を予め通しておく必要があり、ねじ７よりナット１１を取り外し、ねじ７をねじ孔１２に通した後に、ナット１１を再びねじ７に螺合させる。ナット１１は、後に締め増しするので、現状では暫定的に螺合させるだけでよい。
【００１５】
図５は、吊り金具に架台を固定している斜視図である。本実施例では、吊り金具１を大引きに固定する前に、架台２に固定している。架台２は、角形中空パイプであり、その両端部に吊り金具１をねじ止めする。ねじ止めは、浴室ユニットが重量物であることから、複数箇所行うようにしており、本実施例では３箇所のねじ止めを行っている。
【００１６】
図６は、吊り金具を大引きに載置した斜視図である。架台２の両端に吊り金具１を固定した後は、大引き３に吊り金具１を載置する。この際、大引き３と吊り金具１との間にベニヤ板１３を挟み込むようにすると緩衝材としての機能及び滑り止めの機能を果たし、より好ましく固定される。尚、金属片１６は、後に説明する架台の水平だしを行う際に使用するボルトの突きあてである。
【００１７】
図７は、架台の水平だしを行う概略図である。吊り金具１を大引き３に載置した後は、吊り金具１の上面にボルト１４を取り付け、このボルト１４を押し引きすることにより、架台２の水平出しを行う。水平出しは、水準器１７を用いて行うようにしているが、レーザー水準器を使用するようにしても良い。この水平だしは、架台２の上に載置する浴室ユニット全体が水平となるか否かの重要な工程であるので、微調整が行えるボルト１４にて行うことが好ましく、ボルト１４のねじ山ピッチが細かいほど微調整が行え好ましい。
【００１８】
図８は、吊り金具を固定する概略断面図である。吊り金具１は、架台の水平出しが終了した後に、大引き３の上面及び側面に対し、ねじ止めされる。ねじ止めは、架台と吊り金具とを固定したように複数箇所での固定が好ましく、本実施例では上面及び側面それぞれに４箇所ずつ丸木ねじにて固定している。
【００１９】
図２は、吊り金具の固定詳細図であり、（ａ）はクランク形状吊り金具を使用し、（ｂ）は階段形状吊り金具を使用している。
先ず、図２（ａ）を用いて吊り金具１の位置調整を説明する。吊り金具１に取り付けられたねじ７は、脚部１０の端部に駆動穴を有している。そのため、設置者は、この駆動穴にドライバビットを挿入することでねじ７を回転させ、平座５を大引き３に突きあてることができ、結果として吊り金具１の位置調整を行うことができる。位置調整が終了した後は、ナット１１を増し締めして吊り金具１に突きあて、吊り金具１の位置ずれを防止する。
【００２０】
図２（ｂ）に示す吊り金具１は、図２（ａ）のものがクランク形状をしているのに対し、階段形状をしている。このような吊り金具１は、布基礎１８の幅と、大引き３との幅が同じではなく、大引き３の幅が布基礎１８よりも狭い場合に用いられる。
吊り金具１は、第１垂直面１９と第２垂直面２０との２つの垂直面を有し、第１垂直面１９は、大引き３の側面に密着するようにしている。第２垂直面２０は、布基礎１８の側面とは離れており、この離れた距離をねじ７を用いて調整する。ねじ７の調整は、図２（ａ）を用いて説明したように、ねじ７の駆動穴にドライバビットを挿入することでねじ７を回転させ、平座５を布基礎１８に突きあてることで行われる。位置調整が終了した後は、ナット１１を増し締めして吊り金具１に突きあて、吊り金具１の位置ずれを防止する。
【００２１】
図９は、浴室ユニットを配置した概略上面図である。本実施例では、大引き３に対し吊り金具１を６個固定し、３本の架台２を大引き３間に掛け渡している。浴室ユニット２１は、上記架台２の上に載置固定されて組み立てられるもので、具体的には、防水パン、壁パネル、天井パネルを相互につなぎ合わせて完成させる。
【図面の簡単な説明】
【００２２】
【図１】従来例である吊り金具付近の拡大図である。
【図２】本発明の１実施例であるねじを用いた吊り金具の固定詳細図であり、（ａ）はクランク形状の吊り金具を用いたもの、（ｂ）は階段形状の吊り金具を用いたものである。
【図３】本発明の１実施例であるねじであり、（ａ）はねじの側面図、（ｂ）は平座部分を示す上面図、（ｃ）は底面図、（ｄ）は斜視図である。
【図４】本発明の１実施例である吊り金具の斜視図である。
【図５】図４に示す吊り金具に架台を固定している斜視図である。
【図６】図５に示す吊り金具を大引きに設置した斜視図である。
【図７】図６に示した架台の水平だし作業を示す概略図である。
【図８】図６に示す吊り金具を固定する概略断面図である。
【図９】本発明の１実施例である浴室ユニットを配置した概略上面図である。
【符号の説明】
【００２３】
１…吊り金具、２…架台、３…大引き、４…ねじ、５…平座、６…ボルト、７…ねじ、８…平座、９…駆動穴、１０…脚部、１１…ナット、１２…ねじ孔、１３…ベニヤ板、１４…ボルト、１５…ボルト、１６…金属片、１７…水準器、１８…布基礎、１９…第１垂直面、２０…第２垂直面、２１…浴室ユニット
【図１】
2006112510.tif 000003
【図２】
2006112510.tif 000004
【図３】
2006112510.tif 000005
【図４】
2006112510.tif 000006
【図５】
2006112510.tif 000007
【図６】
2006112510.tif 000008
【図７】
2006112510.tif 000009
【図８】
2006112510.tif 000010
【図９】
2006112510.tif 000011